(57)【要約】【課題】収納ポケットを縦方向に複数個、並列させて設けた工具ホルダーにおいて、使用者の腰に負担を与えず腰を痛めたりすることなく、しかも収納ポケットから工具を取り出し難かったり、収納ポケットに工具を収納し難かったりすることないものを提供する。【解決手段】ベルト支持部４を設けると共に、収納ポケット５を設けた基体１の複数個を、それぞれの側部１ａ間に屈曲自在部材２を介して連結したものとしている。そして、前記屈曲自在部材２を柔軟性帯状体Ｂとしたものとしている。また、前記屈曲自在部材２をヒンジＨとしたものとしている。【選択図】図１
0003122549.tif 000002
【実用新案登録請求の範囲】
【請求項１】
ベルト支持部（４）を設けると共に、収納ポケット（５）を設けた基体（１）の複数個を、それぞれの側部（１ａ）間に屈曲自在部材（２）を介して連結したことを特徴とする工具ホルダー。
【請求項２】
前記屈曲自在部材（２）を柔軟性帯状体（Ｂ）としたことを特徴とする請求項１記載の工具ホルダー。
【請求項３】
前記柔軟性帯状体（Ｂ）を、一側部（Ｂ1 ）を一方の基体（１）に取り付け、中間部（Ｂ2 ）を基体（１）どうしの間に露出させ、他側部（Ｂ1 ）を他方の基体（１）に取り付けたものとし、その中間部（Ｂ2 ）を縦方向に長くしたことを特徴とする請求項２記載の工具ホルダー。
【請求項４】
前記屈曲自在部材（２）をヒンジ（Ｈ）としたことを特徴とする請求項１記載の工具ホルダー。
【請求項５】
前記ヒンジ（Ｈ）を基体（１）の側部（１ａ）間の複数個所に設けたものとしたことを特徴とする請求項４記載の工具ホルダー。
【請求項６】
前記収納ポケット（５）を、工具の把手部を露出させてその工具を収納するようにしたことを特徴とする請求項１記載の工具ホルダー。
【考案の詳細な説明】
【技術分野】
【０００１】
この考案は、電気工事現場、建築工事現場などで作業者が腰に吊り下げて使用するのに適した工具ホルダーに関するものである。
【背景技術】
【０００２】
従来、この種の工具ホルダーとしては、例えば図１１に示したように、厚手の合成樹脂織布からなる基体１１の上端部を折り曲げて、この基体１１の裏面にリベット止めすることにより、ベルト支持部１２を形成し、さらに基体１１の表面の略下半部において、ペンチ等の工具を収納するための収納ポケット１３を、牛皮などの天然皮革からなるものとし、縦方向に三列、並列させて設けたものが存在する（特許文献１）。
【０００３】
このように構成された従来の工具ホルダーは、収納ポケット１３に採用した牛皮などの天然皮革によって、多少大きい工具であっても寸法の融通がきき、また使用していくうちに次第に工具に馴染んで使いやすくなるといった効果を有するとしている。
【０００４】
さらに、この種の工具ホルダーとしては、例えば図１２、１３に示したように、上部体２１と下部体２２とを別体として構成したものが存在する。上部体２１は、厚手の合成樹脂織布や、天然または合成の皮革地などを略中央部から折り曲げたり、または上端部を折り曲げて、ベルト支持部２３を設けたものとしている。下部体２２は、上部体２１と同様に厚手の合成樹脂織布や、天然または合成の皮革地などからなり、表面にペンチ等の工具の把手部を露出させてその工具を収納するようにした収納ポケット２４を設けたものとしている。そして、前記上部体２１の下端部２１ａと、下部体２２の上端部２２ａを、柔軟性帯状部材２５を介して連結したものとしている。前記収納ポケット２４は、図１２に示したものでは縦方向に一列としているが、図１３示したものでは縦方向に二列、並列させて設けたものとしている（特許文献２）。
【０００５】
このように構成された従来の工具ホルダーは、ベルト支持部２３を使用者が着用しているズボンのベルトなどに通して腰に吊り下げた場合に、収納ポケット２４に収納した工具の把手部が、使用者の身体に接触したり、近接した状態になることがなく、工具を上手く取り出したり、上手く収納でき、電気工事や建築工事などの作業能率が悪くなったり、作業の妨げになることがないものとなるといった効果を有するとしている。
【特許文献１】特開平１１−１０４９７８号公報（第２、３頁、図１）
【特許文献２】登録実用新案第３０９１６０１号公報（第７、９頁、図１、６）
【考案の開示】
【考案が解決しようとする課題】
【０００６】
しかしながら、図１１に示した上記従来の工具ホルダーでは、厚手の合成樹脂織布からなる基体１１に収納ポケット１３を縦方向に三列、並列させて設けたものとしているので、基体１１は曲げ難く、また横幅が広くなっている。そのため、ベルト支持部２３を使用者が着用しているズボンのベルトなどに通して基体１１を腰に吊り下げた場合に、その基体１１が腰の真横に位置すると、中央部が腰骨に当たって両側端部が腰から浮くので、腰骨に負担を与えると共に安定しなくなり、収納ポケット１３から工具を取り出したり、収納ポケット１３に工具を収納するときに、使用者が腰を痛めたり、基体１１が揺れ動いてその工具が取り出し難かったり、収納し難かったりするという問題点を有していた。
【０００７】
さらに、上記従来の工具ホルダーでは、基体１１に収納ポケット１３を縦方向に三列、並列させて設けたものとしているので、それぞれの収納ポケット１３に収納した工具の把手部が互いに接近したり、時には接触したりして、収納ポケット１３から工具が取り出し難くなるという問題点を有していた。
【０００８】
また、図１２に示した上記従来の工具ホルダーでは、下部体２２に収納ポケット２４を縦方向に一列のみ設けたものとしているので、下部体２２の横幅が広くなることもなく、図１１に示した工具ホルダーのような問題点を有することはないが、図１３に示した上記従来の工具ホルダーでは、下部体２２に収納ポケット２４を縦方向に二列、並列させて設けたものとしているので、下部体２２の横幅が広くなり、図１１に示した工具ホルダーのような同様の問題点を有していた。
【０００９】
そこで、この考案は、上記従来の問題点を解決するものであり、収納ポケットを縦方向に複数個、並列させて設けた工具ホルダーにおいて、使用者の腰に負担を与えず腰を痛めたりすることなく、しかも収納ポケットから工具を取り出し難かったり、収納ポケットに工具を収納し難かったりすることないものを提供することを目的としてなされたものである。
【課題を解決するための手段】
【００１０】
そのため、この考案の工具ホルダーは、ベルト支持部４を設けると共に、収納ポケット５を設けた基体１の複数個を、それぞれの側部１ａ間に屈曲自在部材２を介して連結したものとしている。
【００１１】
そして、この考案の工具ホルダーは、前記屈曲自在部材２を柔軟性帯状体Ｂとしたものとしている。
【００１２】
さらに、この考案の工具ホルダーは、前記柔軟性帯状体Ｂを、一側部Ｂ1 を一方の基体１に取り付け、中間部Ｂ2 を基体１どうしの間に露出させ、他側部Ｂ1 を他方の基体１に取り付けたものとし、その中間部Ｂ2 を縦方向に長くしたものとしている。
【００１３】
また、この考案の工具ホルダーは、前記屈曲自在部材２をヒンジＨとしたものとしている。
【００１４】
さらに、この考案の工具ホルダーは、前記ヒンジＨを基体１の側部１ａ間の複数個所に設けたものとしている。
【００１５】
また、この考案の工具ホルダーは、前記収納ポケット５を、工具の把手部を露出させてその工具を収納するようにしている。
【考案の効果】
【００１６】
この考案は、以上に述べたように構成されているので、収納ポケットを縦方向に複数個、並列させて設けた工具ホルダーにおいて、使用者の腰に負担を与えず腰を痛めたりすることなく、しかも収納ポケットから工具を取り出し難かったり、収納ポケットに工具を収納し難かったりすることのないものとなった。
【考案を実施するための最良の形態】
【００１７】
以下、この考案の工具ホルダーの実施の形態を、図面に基づいて詳細に説明する。
【００１８】
図１〜３はこの考案の工具ホルダーの第一実施形態を示しており、図４、５はこの考案の工具ホルダーの第二実施形態を示しており、図６〜８はこの考案の工具ホルダーの第三実施形態を示しており、さらに図９、１０はこの考案の工具ホルダーの第四実施形態を示している。この考案の工具ホルダーは、いずれの実施形態においても、長尺形状の基体１の二個を、これらの互いの側部１ａ間に屈曲自在部材２を介して連結したものとしている。なお、図示したものは、前記基体１の二個を連結したものとしているが、さらに多く、例えば三〜五個程度の複数個を連結したものとしてもよい。
【００１９】
前記基体１は、それぞれ上部を折り曲げて、この基体１の裏面にリベット３で止めることによりベルト支持部４を設けたものとしている。なお、このベルト支持部４は、基体１と別体として構成し、基体１の上端に、直接または連結部材（図示せず）を介するなどして連結したものとしてもよい。そして、前記基体１は、それぞれ表面の略下半分において、収納ポケット５を設けたものとしている。
【００２０】
さらに、前記基体１は、例えばナイロン、レーヨンなどの化学繊維からなる厚手の合成樹脂布地、天然や合成の厚手の皮革地などから構成されており、必要に応じて厚紙などの補強材を合成樹脂布地、皮革地に挟んだものとしてもよい。
【００２１】
前記屈曲自在部材２は、第一、二実施形態では、例えばナイロン、レーヨンなどの化学繊維からなる厚手または薄手の合成樹脂布地、天然や合成の厚手または薄手の皮革地などからなる柔軟性帯状体Ｂとしており、図１〜３に示したように、その一側部Ｂ1 を一方の基体１に挟んだり、図４、５に示したように、その一側部Ｂ1 を一方の基体１の裏側に沿わせて、中間部Ｂ2 を基体１どうしの間に露出させ、図１〜３に示したように、他側部Ｂ1 を他方の基体１に挟んだり、図４、５に示したように、他側部Ｂ1 を他方の基体１の裏側に沿わせて、これら基体１にリベット３で止めたり、縫着したりしている。そして、この柔軟性帯状体Ｂは、連結した基体１が作業者の腰に当たると、その中間部Ｂ2 が腰に沿って容易に曲がり得るものとしている。さらに、この柔軟性帯状体Ｂは、中間部Ｂ2 を縦に長くしたものとすれば、その中間部Ｂ2 自体がねじれ難いものとなったり、基体１どうしの連結が丈夫なものとなるので好ましい。すなわち、柔軟性帯状体Ｂの中間部Ｂ2 の縦方向の長さは、基体１の側部１ａの略半分以上の長さとして、ねじれ難く、基体１どうしの連結が丈夫なものになるようにしている。また、この柔軟性帯状体Ｂは、中間部Ｂ2 を縦に短くしたものとしても基体１の側部１ａの上下二個所に設けたものとすれば、ねじれ難く、基体１どうしの連結が丈夫なものとなり好ましい。なお、図４、５に示したものは、柔軟性帯状体Ｂの一側部Ｂ1 を一方の基体１の裏側に沿わせ、他側部Ｂ1 を他方の基体１の裏側に沿わせたものとしたが、柔軟性帯状体Ｂの一側部Ｂ1 を一方の基体１の表側に沿わせ、他側部Ｂ1 を他方の基体１の表側に沿わせたものとしてもよい。
【００２２】
前記屈曲自在部材２は、第三、四実施形態では、合成樹脂や金属などからなるヒンジＨとしており、図６〜８に示したように、一方の羽根Ｈ1 の側部を一方の基体１に挟んだり、図９、１０に示したように、一方の羽根Ｈ1 の側部を一方の基体１の裏側に沿わせて、中央の軸部Ｈ2 を基体１どうしの間に露出させ、図６〜８に示したように、他方の羽根Ｈ1 の側部を他方の基体１に挟んだり、図９、１０に示したように、他方の羽根Ｈ1 の側部を他方の基体１の裏側に沿わせて、これら基体１にリベット３で止めしたりしている。そして、このヒンジＨは、連結した基体１が作業者の腰に当たると、その軸部Ｈ2 を中心として、その連結した基体１が腰に沿って容易に略くの字状に曲がり得るものとしている。さらに、この屈曲自在部材２をヒンジＨとした場合には、基体１の側部１ａ間の一個所に設けたものとしてもよいが、基体１の側部１ａ間の上下の二個所に設けたものとしたり、基体１の側部１ａ間の上中下の三個所に設けたものとするのが、基体１どうしの連結が丈夫なものとなり好ましい。なお、図９、１０に示したものは、ヒンジＨの一方の羽根Ｈ1 の側部を一方の基体１の裏側に沿わせ、他方の羽根Ｈ1 の側部を他方の基体１の裏側に沿わせたものとしたが、ヒンジＨの一方の羽根Ｈ1 の側部を一方の基体１の表側に沿わせ、他方の羽根Ｈ1 の側部を他方の基体１の表側に沿わせたものとしてもよい。
【００２３】
前記収納ポケット５は、例えばナイロン、レーヨンなどの化学繊維からなる厚手または薄手の合成樹脂布地、天然や合成の厚手または薄手の皮革地などから構成されており、工具の把手部を露出させてその工具を差し込めるようにしておればよく、上端部が常に開口していても、上端部に開閉蓋が設けられていてもよく、また底が有っても無くてもよい。そして、この収納ポケット５を基体１の表面に設けるには、リベット３で止めたり、縫着したりすればよいが、その個数や設け方は限定されることはない。例えば、図に示したように、それぞれの基体１に収納ポケット５を縦方向に一列、一段設けたものとしたり、図に示していないが、それぞれの基体１に収納ポケット５を縦方向に一列、二段重ねて設けたものなどとすることができる。
【００２４】
以上のように構成したこの考案の工具ホルダーは、電気工事現場、建築工事現場などにおいて、収納ポケット５に工具（図示せず）を収納し、連結した基体１のそれぞれのベルト支持部３を、使用者が着用しているズボンのベルトなどに通して、腰に吊り下げる。
【００２５】
その場合、この考案の工具ホルダーの基体１の一方が使用者の腰の真横に位置すると、連結した他方の基体１は屈曲自在部材２の位置から前側または後側に曲げられて、使用者の腰に沿って、安定した状態になると共に、他方の基体１が前側または後側に曲げられることにより、両方の基体１の収納ポケット５どうしの間が広がる。したがって、それぞれの基体１の収納ポケット５から工具を取り出したり、収納ポケット５に工具を収納するときに、基体１１が揺れ動くことなく、またそれぞれの収納ポケット５に収納した工具の把手部の間が広がるので、使用者の腰に負担を与えず腰を痛めたりすることなく、しかもその工具が取り出し易く、また収納し易いものとなる。
【００２６】
さらに、この考案の工具ホルダーの基体１の両方が使用者の腹部や背部に位置しても、これらの腹部や背部の曲面に沿って、安定した状態になるので、それぞれの基体１の収納ポケット５から工具を取り出したり、収納ポケット５に工具を収納するときに、基体１１が揺れ動くことなく、その工具が取り出し易く、また収納し易いものとなる。
【００２７】
なお、この考案の工具ホルダーは、前記基体１を三つ以上の複数個を連結したものにおいても、前記したのと同様に収納ポケット５から工具を取り出したり、収納ポケット５に工具を収納するときに、基体１が揺れ動くことなく、またそれぞれの収納ポケット５に収納した工具の把手部の間が広がり、使用者の腰に負担を与えず腰を痛めたりすることなく、しかもその工具が取り出し易く、また収納し易いものになるのは言うまでもない。
【図面の簡単な説明】
【００２８】
【図１】この考案の工具ホルダーの第一実施形態を表面側から見た斜視図である。
【図２】図１に示すこの考案の工具ホルダーを裏面側から見た斜視図である。
【図３】図１に示すこの考案の工具ホルダーの水平断面図である。
【図４】この考案の工具ホルダーの第二実施形態を裏面側から見た斜視図である。
【図５】図４に示すこの考案の工具ホルダーの水平断面図である。
【図６】この考案の工具ホルダーの第三実施形態を表面側から見た斜視図である。
【図７】図６に示すこの考案の工具ホルダーを裏面側から見た斜視図である。
【図８】図６に示すこの考案の工具ホルダーの水平断面図である。
【図９】この考案の工具ホルダーの第四実施形態を裏面側から見た斜視図である。
【図１０】図９に示すこの考案の工具ホルダーの水平断面図である。
【図１１】従来の工具ホルダーの一例の斜視図である。
【図１２】従来の工具ホルダーの他の例の斜視図である。
【図１３】従来の工具ホルダーのさらに他の例の斜視図である。
【符号の説明】
【００２９】
１  基体
１ａ  側部
２  屈曲自在部材
４  ベルト支持部
５  収納ポケット
Ｂ  柔軟性帯状体
Ｂ1 中間部
Ｈ  ヒンジ
【図１】
0003122549.tif 000003
【図２】
0003122549.tif 000004
【図３】
0003122549.tif 000005
【図４】
0003122549.tif 000006
【図５】
0003122549.tif 000007
【図６】
0003122549.tif 000008
【図７】
0003122549.tif 000009
【図８】
0003122549.tif 000010
【図９】
0003122549.tif 000011
【図１０】
0003122549.tif 000012
【図１１】
0003122549.tif 000013
【図１２】
0003122549.tif 000014
【図１３】
0003122549.tif 000015